(57)【要約】【課題】内羽根タイプのオムツにおいて、下腹部シート部を被装着者の下腹部に良好にフィットさせることができると共に、股間シート部を被装着者の足の付け根周りに良好にフィットさせることができるようにする。【解決手段】被装着者の臀部を被覆する臀部シート部２４、被装着者の股間を被覆する股間シート部２５、及び、被装着者の下腹部を被覆する下腹部シート部２６を有するシート本体２０と、臀部シート部２４の左右両側方に延設され、相互に止着して被装着者の腰周りに巻着される内羽根３０と、下腹部シート部２６の上端部分を臀部シート部２４または内羽根３０に止着させる左右一対の上止着部材４０と、左右一対の上止着部材４０よりも広い間隔で配置され、下腹部シート部２６の下端部分を臀部シート部２４または内羽根３０に止着させる左右一対の下止着部材４１とを備える。【選択図】図１
2007312898.tif 000002
【特許請求の範囲】
【請求項１】
被装着者の臀部を被覆する臀部シート部、被装着者の股間を被覆する股間シート部、及び、被装着者の下腹部を被覆する下腹部シート部を有するシート本体と、
前記臀部シート部の左右両側方に延設され、相互に止着して被装着者の腰周りに巻着される内羽根と、
前記下腹部シート部の上端部分を前記臀部シート部または前記内羽根に止着させる左右一対の上止着部材と、
前記左右一対の上止着部材よりも広い間隔で配置され、前記下腹部シート部の下端部分を前記臀部シート部または前記内羽根に止着させる左右一対の下止着部材と
を備えることを特徴とするオムツ。
【請求項２】
前記下腹部シート部は、上端部分から下端部分に向かって幅広となる形状に形成されており、
前記上止着部材は、前記下腹部シート部の上端部分の側縁部分に設けられており、
前記下止着部材は、前記下腹部シート部の下端部分の側縁部分に設けられている
ことを特徴とする請求項１に記載のオムツ。
【請求項３】
前記下腹部シート部は、上端部分から下端部分に渡って同一幅の形状に形成されており、
該下腹部シート部の下端部分には、側方に延出する延出部材が貼着されており、
前記上止着部材は、前記下腹部シート部の上端部分の側縁部分に設けられており、
前記下止着部材は、前記延出部材に設けられている
ことを特徴とする請求項１に記載のオムツ。
【発明の詳細な説明】
【技術分野】
【０００１】
本発明は、老人や乳幼児等の被装着者に装着されるオムツに関するものである。
【背景技術】
【０００２】
老人や乳幼児等の被装着者に装着されるオムツとしては、種々のタイプのものがあるが、中でも、内羽根タイプのオムツがある。ここで、内羽根タイプのオムツは、被装着者の臀部を被覆する臀部シート部、被装着者の股間を被覆する股間シート部、及び、被装着者の下腹部を被覆する下腹部シート部を有するシート本体の上記臀部シート部において、左右両側に内羽根が延設されたものである。そして、このような内羽根タイプのオムツは、被装着者の臀部の下に臀部シート部を敷き、左右の内羽根を被装着者の腹の前側にて相互に止着させることで被装着者の腰周りに巻着させ、その後、被装着者の股間にて股間シート部を折り返し、下腹部シート部を臀部シート部や内羽根に止着して、被装着者に装着されるものであり、装着作業が容易なオムツである。
【０００３】
そして、このような内羽根タイプのオムツは、従来、下腹部シート部が一定幅に形成されており、この下腹部シート部の上端部分の両側縁部分に、面ファスナーや粘着テープ等によって構成された左右一対の上止着部材が設けられ、下腹部シート部の下端部分の両側縁部分に、面ファスナーや粘着テープ等によって構成された左右一対の下止着部材が設けられた構造となっていた。そして、下腹部シート部の上止着部材及び下止着部材を臀部シート部や内羽根に止着させることで、下腹部シート部が被装着者の下腹部を被覆し、股間シート部の側縁が被装着者の両足の付け根周りを適度に締め付けるようにして、被装着者に装着されるものであった。なお、本書での説明において、上下の方向を、オムツを被装着者に装着した状態で、被装着者の頭側を「上」とし、足先側を「下」として定義することとする。
【０００４】
【特許文献１】特許第３２１８４９３号公報
【発明の開示】
【発明が解決しようとする課題】
【０００５】
ところで、このような内羽根タイプのオムツにおいては、下腹部シート部の幅寸法を大きくし、下止着部材を被装着者の足の付け根周りの側方や後方に位置させることで、股間シート部を被装着者の足の付け根周りに良好にフィットさせることができるが、このようにすると、下腹部シート部の上端部分に設けられた左右一対の上止着部材の間隔が広がってしまい、上止着部材が被装着者の脇や背中側に位置して、下腹部シート部を被装着者の下腹部に良好にフィットさせることができなくなるといった問題を生じる。
【０００６】
一方、下腹部シート部の幅寸法を小さくし、上止着部材を被装着者の脇よりも前側に位置させることで、下腹部シート部を下腹部に良好にフィットさせることができるが、このようにすると、下腹部シート部の下端部分に設けられた左右一対の下止着部材が被装着者の足の付け根周りの前側に配置されることになり、股間シート部を被装着者の脚の付け根周りに良好にフィットさせることができなくなるといった問題を生じる。
【０００７】
本発明は、上記実状を鑑みてなされたものであり、内羽根タイプのオムツにおいて、下腹部シート部を被装着者の下腹部に良好にフィットさせることができると共に、股間シート部を被装着者の足の付け根周りに良好にフィットさせることができるようにすることを課題とする。
【課題を解決するための手段】
【０００８】
上記課題を解決するために本発明の採った主要な手段は、
「被装着者の臀部を被覆する臀部シート部、被装着者の股間を被覆する股間シート部、及び、被装着者の下腹部を被覆する下腹部シート部を有するシート本体と、
前記臀部シート部の左右両側方に延設され、相互に止着して被装着者の腰周りに巻着される内羽根と、
前記下腹部シート部の上端部分を前記臀部シート部または前記内羽根に止着させる左右一対の上止着部材と、
前記左右一対の上止着部材よりも広い間隔で配置され、前記下腹部シート部の下端部分を前記臀部シート部または前記内羽根に止着させる左右一対の下止着部材と
を備えることを特徴とするオムツ」
である。
【０００９】
上記構成のオムツでは、上止着部材の間隔が下止着部材の間隔よりも狭くなっている。よって、下腹部シート部を臀部シート部または内羽根部に止着してオムツを被装着者に装着した状態において、間隔の狭い左右一対の上止着部材を被装着者の下腹部の前側に位置させることができ、下腹部シート部を被装着者の下腹部に良好にフィットさせることができる。また、間隔の広い左右一対の下止着部材を被装着者の足の付け根周りの側方や後方に位置させることができ、股間シート部を被装着者の足の付け根周りに良好にフィットさせることができる。
【００１０】
なお、上止着部材及び下止着部材としては、面ファスナー、粘着テープ、ボタン、ホック等、適宜の部材を用いて構成することができる。また、上止着部材及び下止着部材を配設する部位としては、下腹部シート部自体、臀部シート部自体、内羽根自体の適宜部位や、下腹部シート部に取り付けられた部材、臀部シート部に取り付けられた部材、内羽根に取り付けられた部材等の適宜部材の適宜部位を設定することができる。
【００１１】
上述した手段において、
「前記下腹部シート部は、上端部分から下端部分に向かって幅広となる形状に形成されており、
前記上止着部材は、前記下腹部シート部の上端部分の側縁部分に設けられており、
前記下止着部材は、前記下腹部シート部の下端部分の側縁部分に設けられている
ことを特徴とするオムツ」
としてもよい。
【００１２】
広い間隔で配置された上止着部材と狭い間隔で配置された下止着部材とを、夫々、上端部分から下端部分に渡って同一幅の形状に形成された下腹部シート部に設けると、下腹部シート部の上端部分の側縁部分、すなわち「下腹部シート部の角の部分」が、上止着部よりも側方に無用に延出してばたつきいてしまう。
【００１３】
これに対して、上記構成のオムツでは、下腹部シート部が上端部分から下端部分に向かって幅広となる形状に形成されており、下腹部シート部の上端部分の側縁部分に上止着部材が設けられているため、下腹部シート部の角の部分が上止着部よりも側方に無用に延出することがない。よって、上記構成のオムツによれば、下腹部シート部の角の部分がばたつくことを防止することができる。
【００１４】
上述した手段において、
「前記下腹部シート部は、上端部分から下端部分に渡って同一幅の形状に形成されており、
該下腹部シート部の下端部分には、側方に延出する延出部材が貼着されており、
前記上止着部材は、前記下腹部シート部の上端部分の側縁部分に設けられており、
前記下止着部材は、前記延出部材に設けられている
ことを特徴とするオムツ」
としてもよい。
【００１５】
上記構成のオムツでは、下止着部材が下腹部シート部の側方に延出する延出部材に設けられていることから、下止着部の間隔として、下腹部シート部に設けられた上止着部の間隔よりも広い間隔を確実に確保することができる。また、これにより、下腹部シート部を、一定幅で、しかも、幅寸法を小さく設定することができ、下腹部シート部を構成する材料を低減させることができる。特に、臀部シート部及び股間シート部の最大幅の寸法を、下腹部シート部の幅寸法と同一またはこれ以下とすれば、シート本体全体の幅寸法を小さく設定することができ、シート本体を構成する材料を低減させることができる。
【発明の効果】
【００１６】
上述した通り、本発明によれば、内羽根タイプのオムツにおいて、下腹部シート部を被装着者の下腹部に良好にフィットさせることができると共に、股間シート部を被装着者の足の付け根周りに良好にフィットさせることができる。
【発明を実施するための最良の形態】
【００１７】
本発明に係るオムツの実施形態としての一例を、以下、図面に従って詳細に説明する。
【００１８】
まず、図１に示すように、オムツ１０は、被装着者の臀部を被覆する臀部シート部２４と、被装着者の股間を被覆する股間シート部２５と、被装着者の下腹部を被覆する下腹部シート部２６とを有するシート本体２０を備えている。ここで、臀部シート部２４は、略長方形の形状に形成されており、股間シート部２５は、略長方形の両側を略半円状に大きく切り欠いた形状に形成されており、下腹部シート部２６は、装着された状態で上端側（紙面では下端側）となる角部が、三角形状に大きく切り欠かれた所謂「Ｃ面取り」された形状に形成されている。換言すると、下腹部シート部２６は、上端部分から下端部分に向かって幅広となる形状に形成されている。そして、臀部シート部２４、股間シート部２５及び下腹部シート部２６の最大幅寸法は、同一寸法となっている。なお、シート本体２０において、臀部シート部２４、股間シート部２５及び下腹部シート部２６の境界は、必ずしも明確とはなっていないのであるが、図示では、仮想的な線（２点鎖線）を付することで、境界が明確となるようにしてある。
【００１９】
シート本体２０は、表側が、水分が透過不能な防水シート２３により構成されており、裏側が、水分が透過可能な透水シート２２１により構成されている。なお、「表」及び「裏」の表現については、オムツ１０を被装着者に装着した状態においての「表」及び「裏」を示すものであり、以下の説明においても同様である。
【００２０】
防水シート２３と透水シート２１との間には、臀部シート部２４の下部から下腹部シート部２６の下部に渡って、吸水ポリマー等、吸水性に優れる素材によって構成された吸収パッド２２が挟み込まれている。また、股間シート部２５の側縁部分は、ギャザー加工が施されたギャザー部２５ａとなっている。
【００２１】
また、このオムツ１０は、内羽根タイプのものであり、シート本体２０の左右両側方、より具体的には臀部シート部２４の左右両側方に、左右一対の内羽根３０が延設されている。なお、内羽根３０は、シート本体２０とは別部材のシート材から構成されており、シート本体１０の両側縁部分に貼着されている。
【００２２】
そして、左右一対の内羽根３０の一方の端部には、内羽根止着部材３１が設けられている。ここで、本例では、内羽根止着部材３１が面ファスナーの雄側の部材によって構成されている。また、内羽根３０は、表裏にケバ立ちのある不織布によって構成されている。よって、左右一対の内羽根３０は、内羽根止着部材３１を介在させた状態で重ね合わせることで相互に止着可能となっている。
【００２３】
また、シート本体２０の下腹部シート部２６の裏面には、上端部分の両側縁部分に狭い間隔で配置された左右一対の上止着部材４０と、下端部分の両側縁部分に広い間隔で配置された左右一対の下止着部材４１とが設けられている。ここで、本例では、上止着部材４０及び下止着部材４１の夫々が、面ファスナーの雄側の部材によって構成されている。また、シート本体２０の表側のシート材を構成する防水シート２３は、内側が、ポロエチレン等によって構成された樹脂シートとなっており、表側が、樹脂シートに貼着されたケバ立ちのある不織布シートとなっている。よって、上止着部材４０及び下止着部材４１の夫々は、内羽根３０の表面や、シート本体２０の表面に止着可能となっている。
【００２４】
次に、被装着者にオムツ１０を装着する状態を、図２に基づいて説明する。
【００２５】
まず、オムツ１０の臀部シート部２４を被装着者の臀部の下に敷き、臀部シート部２４の両側に延出する左右の内羽根３０を被装着者の腹に巻回して、左右の内羽根３０を相互に止着する（矢印Ａ参照）。すると、左右の内羽根３０が被装着者の腰周りに巻着され、シート本体２０が腰より下にずり下がらないように固定される。
【００２６】
次に、被装着者の股間にて股間シート部２６を折り返し、下腹部シート部２６を捲り上げて、下腹部シート部２６の上止着部４０を内羽根３０の表面または臀部シート部２４の表面に止着させる（矢印Ｂ参照）。この時、ある程度、下腹部シート部２６を上方に引っ張って内羽根３０または臀部シート部２４に止着させる。すると、股間シート部２５が被装着者の股間に、無用な隙間を生じずに装着され、下腹部シート部２６が被装着者の下腹部を良好にフィットした状態で被覆する。
【００２７】
次に、内羽根３０または臀部シート部２４に止着された下腹部シート部２６の下止着部４１を、臀部シート部２４の表面に止着させる（矢印Ｃ参照）。この時、ある程度、下腹部シート部２６を側方に引っ張って臀部シート部２４に止着させる。すると、股間シート部２５の側縁部分が被装着者の足の付け根周りに、無用な隙間を生じずに巻回され、良好にフィットする。なお、本例では、内羽根３０が細い帯状に形成されており、下腹部シート部２６の下止着部４１を内羽根３０に止着することができない構造となっているが、内羽根３０を太い帯状として、下腹部シート部２６の下止着部４１を内羽根３０に止着できるようにしてもよい。
【００２８】
以上のようにしてオムツ１０を被装着者に装着すると、図３に示すように、オムツ１０は、下腹部シート部２６が被装着者の下腹部に良好にフィットし、股間シート部２５が被装着者の足の付け根周りに良好にフィットする。また、下腹部シート部２６の上部角部は、三角形状に切り欠かれた形状となっているため、上止着部４０の側方に無用にシート本体２０がはみ出さない。よって、オムツ１０は、下腹部シート部２６の角部がばたつくことなく、すっきりと装着される。
【００２９】
ところで、上述の例では、被装着者を寝かせてオムツ１０を装着する状態を説明したが、本例のオムツ１０は、これに限らず、被装着者を立たせて、被装着者の臀部に臀部シート部２４を当てて、左右の内羽根３０を被装着者の腰周りに巻着した上で、装着することもできる。また、介護者等の他の者が被装着者にオムツ１０を装着するに限らず、被装着者自身によってオムツ１０を装着することもできる。
【００３０】
次に、図４に、オムツ１０の別の例を示す。なお、このオムツ１０では、以下に説明する構成の他は、上述の例のオムツ１０と同様であり、同一の符号を付することで、構成の詳細についての説明を省略する。
【００３１】
図４に示すオムツ１０では、下腹部シート部２６の角部が上述の例のように三角形状に切り欠かれた形状となっておらず、下腹部シート部２６全体が略長方形に形成されており、この下腹部シート部２６の下端部分の両側縁部分に、シート本体２０とは別部材からなる延出部材５０が貼着されている。そして、下腹部シート部２６の上端部分の角部に上止着部材４０が設けられており、延出部材５０に下止着部材４１が設けられている。
【００３２】
このような構成では、下腹部シート部２６の左右両角部に左右一対の上止着部材４０を設けても、上止着部材４０の間隔を、下止着部材４１の間隔よりも狭い間隔とすることができる。よって、下腹部シート部２６全体において、幅寸法を小さく設定することができる。
【００３３】
なお、図４に示す例では、臀部シート部２４と下腹部シート部２６とを同一幅で、しかも、上下に渡って一定幅に形成して、シート本体２０全体の幅寸法を小さく設定してある。これにより、シート本体２０の材料を低減することができる。また、延出部材５０としては、伸縮性を有さないシート材、伸縮性を有するシート材等、適宜の素材によって形成することができるが、伸縮性を有する素材によって形成することで、オムツ１０を装着した状態において、被装着者の足の付け根周りを適度に締め付けることができ、股間シート部２５を、より一層、被装着者の足の付け根周りにフィットさせることができる。
【００３４】
ところで、上述した各例のオムツ１０では、被装着者に装着した状態において、上止着部材４０に上下方向の力が大きく加わり、下止着部材４１に左右方向の力が大きく加わる。よって、上止着部材４０及び下止着部材４１の夫々を面ファスナーや粘着テープ等の面接合する部材によって形成する場合には、上止着部材４０を上下方向に長く、すなわち「縦長」に形成する一方で、下止着部材４１を左右方向に長く、すなわち「横長」に形成すると、夫々に加わる力に的確に抗することができ、好適である。
【００３５】
また、上述した各例のオムツ１０では、内羽根３０が、均一の幅寸法の帯状に形成されている。これにより、無用に幅寸法の大きな内羽根３０とすることなく、内羽根３０を形成する材料の低減を図ることができる。なお、内羽根３０を、伸縮性を有する素材によって形成することで、内羽根３０を被装着者の腰周りに、より一層、フィットした状態で巻着することもできる。
【図面の簡単な説明】
【００３６】
【図１】本発明に係るオムツの一例を示す平面図である。
【図２】図１に示したオムツを被装着者に装着する状態を示す平面図である。
【図３】図１に示したオムツを被装着者に装着した状態を示す平面図である。
【図４】本発明に係るオムツの別例を示す平面図である。
【符号の説明】
【００３７】
１０  オムツ
２０  シート本体
２１  透水シート
２２  吸収パッド
２３  防水シート
２４  臀部シート部
２５  股間シート部
２５ａ  ギャザー部
２６  下腹部シート部
３０  内羽根
３１  内羽根止着部材
４０  上止着部材
４１  下止着部材
５０  延出部材
【図１】
2007312898.tif 000003
【図２】
2007312898.tif 000004
【図３】
2007312898.tif 000005
【図４】
2007312898.tif 000006